(57)【要約】      （修正有）【課題】ハガキの中央部分にデジタルフォトフレームを挿入したハガキを提供する。【解決手段】クリスマスカード、年賀状、暑中見舞い、通常のハガキの写真欄にデジタルフォトフレームをそのまま配置して、発泡スチロールで保護し、クリスマスカード、年賀状、暑中見舞い、通常のハガキを差し込める透明なビニール袋を準備してそこに差し入れて、配送中にはずれて落ちないようにセロテープで止めて構成する。【選択図】図１
0003154020.tif 000002
【実用新案登録請求の範囲】
【請求項１】
（１）海外の郵政事業者・日本の郵政公社の定形ハガキを使用する。（海外でのクリスマスカードの交換、年賀状、暑中見舞い、お祝い、プレゼント）
（２）デジタルフォトフレームをハガキにセットするための梱包資材の貼付けを認める。
（３）ハガキをセットするための２重になった透明な包装用紙の使用を認める。
（４）写真は変更可能なため、写真変更プログラム、ＵＳＢケーブルが欲しい人には、品物代金と情報入手が可能となる。するメールが定型郵便物として認められているのでこちらも可能と思われるが、切手超過分については記載の必要を認める。
（５）希望すれば企業名の記載を認める。
（６）定形郵便物とするため、厚さ１ｃｍまでとする。
【考案の詳細な説明】
【技術分野】
【０００１】「本考案は、クリスマスカード、年賀状、暑中見舞い、通常のハガキをよりインパクトのあるものにするためのハガキに関する考案である。」
【背景技術】
【０００２】従来のクリスマスカード、年賀状、暑中見舞い、通常のハガキには、写真印刷を施したものがある。以下、図１により従来の写真付クリスマスカード、年賀状、暑中見舞い、通常のハガキについて説明する。しかし、現在では科学技術の急速な進歩により、デジタルフォトフレームは写真の記憶容量が大きくなり、かつ厚さが薄くなり、よりコンパクトなものが安価で販売されるようになった。（秋葉原で現物を確認）
【先行技術文献】
【０００３】
【特許文献】
【０００４】クリスマスカード、年賀状、暑中見舞い、通常のハガキ
【非特許文献】
【０００５】「するメール」（和歌山南漁業組合すさみ支所）（定形郵便物）
郵便局ホームページ（海外に送るクリスマスカードのつくり方＆送り方）
【考案の概要】
【０００７】
【考案が解決しようとする課題】
【０００８】クリスマスカード、年賀状、暑中見舞い、通常のハガキは、電子メールの発達と携帯電話の普及に伴い、毎年販売件数が減少してきており、また、写真付のハガキは、パソコン普及後何年も経つため、陳腐化しつつある。
【課題を解決するための手段】
【０００９】クリスマスカード、年賀状、暑中見舞い、通常のハガキの写真欄にデジタルフォトフレームをそのまま配置して、ハッポウスチロールで保護して、クリスマスカード、年賀状、暑中見舞い、通常のハガキを差し込める透明なビニール袋を準備してそこに差し入れてはずれて配送中に落ちないようにセロテープで止める。
【考案の効果】
【００１０】海外でのクリスマスカードの交換、個人の年賀状、暑中見舞い、お祝い、プレゼントの真新しさ、企業のＣＭを入れると宣伝効果に多大な影響を与えることができると考える。
また、写真は変更可能なため、写真変更プログラム、パソコンと繋ぐＵＳＢケーブル、テレビ・ビデオと接続するケーブルが欲しい人には、品物代金と手数料と情報入手が可能となる。するメールが定型郵便物として認められているのでこちらも可能と思われるが、切手超過分については記載の必要があると考える。
【産業上の利用可能性】（企業）効果的で喜ばれる宣伝効果
【図１】
0003154020.tif 000003
【手続補正書】
【提出日】平成21年2月28日(2009.2.28)
【手続補正１】
【補正対象書類名】実用新案登録請求の範囲
【補正対象項目名】全文
【補正方法】変更
【補正の内容】
【実用新案登録請求の範囲】
【請求項１】
請求項の範囲において
（１）  海外の郵政事業者・日本の郵政公社の定形ハガキを使用、
（２）  海外でのクリスマスカードの交換、年賀状、暑中見舞い、お祝い、プレゼント等に利用、
（３）  デジタルフォトフレームをハガキにセットするための梱包資材の貼付け、
（４）  ハガキをセットするための２重になった透明な包装用紙の使用、
（５）  写真は変更可能なため、写真変更プログラム、ＵＳＢケーブルが欲しい人には、品物代金と情報入手が可能、
（６）  するメールが定型郵便物として認められているのでこちらも可能と思われるが、切手超過分については追加分の記載を認可、
（７）  希望すれば企業名の記載を認可、
（８）  定形郵便物とするため、厚さ１ｃｍまで可能、
以上の構成からなるデジカメール。
【手続補正２】
【補正対象書類名】明細書
【補正対象項目名】全文
【補正方法】変更
【補正の内容】
【考案の詳細な説明】
【技術分野】
【０００１】「本考案は、クリスマスカード、年賀状、暑中見舞い、通常のハガキをよりインパクトのあるものにするためのハガキに関する考案である。」
【背景技術】
【０００２】従来のクリスマスカード、年賀状、暑中見舞い、通常のハガキには、写真印刷を施したものがある。以下、図１により従来の写真付クリスマスカード、年賀状、暑中見舞い、通常のハガキについて説明する。しかし、現在では科学技術の急速な進歩により、デジタルフォトフレームは写真の記憶容量が大きくなり、かつ厚さが薄くなり、よりコンパクトなものが安価で販売されるようになった。（秋葉原で現物を確認）
【先行技術文献】
【０００３】
【特許文献】
【０００４】クリスマスカード、年賀状、暑中見舞い、通常のハガキ
【非特許文献】
【０００５】「するメール」（和歌山南漁業組合すさみ支所）（定形郵便物）
郵便局ホームページ（海外に送るクリスマスカードのつくり方＆送り方）
【考案の概要】
【０００７】
【考案が解決しようとする課題】
【０００８】クリスマスカード、年賀状、暑中見舞い、通常のハガキは、電子メールの発達と携帯電話の普及に伴い、毎年販売件数が減少してきており、また、写真付のハガキは、パソコン普及後何年も経つため、陳腐化しつつある。
【課題を解決するための手段】
【０００９】クリスマスカード、年賀状、暑中見舞い、通常のハガキの写真欄にデジタルフォトフレームをそのまま配置して、ハッポウスチロールで保護して、クリスマスカード、年賀状、暑中見舞い、通常のハガキを差し込める透明なビニール袋を準備してそこに差し入れてはずれて配送中に落ちないように接着剤で止める。
【手続補正３】
【補正対象書類名】図面
【補正対象項目名】全図
【補正方法】変更
【補正の内容】
【図１】
0003154020.tif 000004
【図２】
0003154020.tif 000005
【図３】
0003154020.tif 000006
【手続補正書】
【提出日】平成21年5月22日(2009.5.22)
【手続補正１】
【補正対象書類名】実用新案登録請求の範囲
【補正対象項目名】全文
【補正方法】変更
【補正の内容】
【実用新案登録請求の範囲】
【請求項１】
海外の郵政事業者・日本の郵便事業会社の定形ハガキとデジタルフォトフレームをハガキにセットするために梱包資材を使用し、透明な包装用紙で梱包し、定形郵便物とするデジカメール
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】「本考案は、クリスマスカード、年賀状、暑中見舞い、通常のハガキをよりインパクトのあるものにするためのハガキに関する考案である。」
【背景技術】
【０００２】従来のクリスマスカード、年賀状、暑中見舞い、通常のハガキには、写真印刷を施したものがある。以下、図１により従来の写真付クリスマスカード、年賀状、暑中見舞い、通常のハガキについて説明する。しかし、現在では科学技術の急速な進歩により、デジタルフォトフレームは写真の記憶容量が大きくなり、かつ厚さが薄くなり、よりコンパクトなものが安価で販売されるようになった。（秋葉原で現物を確認）
【先行技術文献】
【０００３】
【特許文献】
【０００４】クリスマスカード、年賀状、暑中見舞い、通常のハガキ
【非特許文献】
【０００５】郵便事業会社ホームページ（海外に送るクリスマスカードのつくり方＆送り方）
【考案の概要】
【０００７】
【考案が解決しようとする課題】
【０００８】クリスマスカード、年賀状、暑中見舞い、通常のハガキは、電子メールの発達と携帯電話の普及に伴い、毎年販売件数が減少してきており、また、写真付のハガキは、パソコン普及後何年も経つため、陳腐化しつつある。
【課題を解決するための手段】
【０００９】クリスマスカード、年賀状、暑中見舞い、通常のハガキの写真欄にデジタルフォトフレームをそのまま配置して、ハッポウスチロールで保護して、クリスマスカード、年賀状、暑中見舞い、通常のハガキを差し込める透明なビニール袋を準備してそこに差し入れてはずれて配送中に落ちないように接着剤で止める。
【考案の効果】
【００１０】海外でのクリスマスカードの交換、個人の年賀状、暑中見舞い、お祝い、プレゼントの真新しさ、企業のＣＭを入れると宣伝効果に多大な影響を与えることができると考える。
また、写真は変更可能なため、写真変更プログラム、パソコンと繋ぐＵＳＢケーブル、テレビ・ビデオと接続するケーブルが欲しい人には、品物代金と手数料と情報入手が可能となる。するメールが定型郵便物として認められているのでこちらも可能と思われるが、切手超過分については記載の必要があると考える。
【図面の簡単な説明】
【図１】デジカメールを示した平面図である。
0003154020.tif 000007
【図２】デジカメールを示した断面図である。
0003154020.tif 000008
【産業上の利用可能性】（企業）効果的で喜ばれる宣伝効果
【符号の説明】１．デジタルフォトフレームを挿入する位置を示す
【手続補正３】
【補正対象書類名】図面
【補正対象項目名】全図
【補正方法】変更
【補正の内容】
【図１】
0003154020.tif 000009
【図２】
0003154020.tif 000010
【手続補正書】
【提出日】平成21年7月25日(2009.7.25)
【手続補正１】
【補正対象書類名】実用新案登録請求の範囲
【補正対象項目名】全文
【補正方法】変更
【補正の内容】
【実用新案登録請求の範囲】
【請求項１】
ハガキの中央部分にデジタルフォトフレームを挿入したハガキ
【手続補正２】
【補正対象書類名】明細書
【補正対象項目名】全文
【補正方法】変更
【補正の内容】
【考案の詳細な説明】
【技術分野】
【０００１】
「本考案は、クリスマスカード、年賀状、暑中見舞い、通常のハガキをよりインパクトのあるものにするためのハガキに関する考案である。」
【背景技術】
【０００２】
従来のクリスマスカード、年賀状、暑中見舞い、通常のハガキには、写真印刷を施したものがある。以下、図１により従来の写真付クリスマスカード、年賀状、暑中見舞い、通常のハガキについて説明する。しかし、現在では科学技術の急速な進歩により、デジタルフォトフレームは写真の記憶容量が大きくなり、かつ厚さが薄くなり、よりコンパクトなものが安価で販売されるようになった。（秋葉原で現物を確認）
【先行技術文献】
【特許文献】
【０００３】
クリスマスカード、年賀状、暑中見舞い、通常のハガキ
【非特許文献】
【０００４】
郵便事業会社ホームページ（海外に送るクリスマスカードのつくり方＆送り方）
【考案の概要】
【０００５】
【考案が解決しようとする課題】
【０００６】
クリスマスカード、年賀状、暑中見舞い、通常のハガキは、電子メールの発達と携帯電話の普及に伴い、毎年販売件数が減少してきており、また、写真付のハガキは、パソコン普及後何年も経つため、陳腐化しつつある。
【課題を解決するための手段】
【０００７】
クリスマスカード、年賀状、暑中見舞い、通常のハガキの写真欄にデジタルフォトフレームをそのまま配置して、ハッポウスチロールで保護して、クリスマスカード、年賀状、暑中見舞い、通常のハガキを差し込める透明なビニール袋を準備してそこに差し入れてはずれて配送中に落ちないように接着剤で止める。
【考案の効果】
【０００８】
海外でのクリスマスカードの交換、個人の年賀状、暑中見舞い、お祝い、プレゼントの真新しさ、企業のＣＭを入れると宣伝効果に多大な影響を与えることができると考える。
また、写真は変更可能なため、写真変更プログラム、パソコンと繋ぐＵＳＢケーブル、テレビ・ビデオと接続するケーブルが欲しい人には、品物代金と手数料と情報入手が可能となる。するメールが定型郵便物として認められているのでこちらも可能と思われるが、切手超過分については記載の必要があると考える。
【図面の簡単な説明】
【０００９】
【図１】デジカメールを示した平面図である。
【図２】デジカメールを示した断面図である。
【産業上の利用可能性】
【００１０】
（企業）効果的で喜ばれる宣伝効果
【符号の説明】
【００１１】
１.   デジタルフォトフレームを挿入する位置を示す
【手続補正３】
【補正対象書類名】図面
【補正対象項目名】図１
【補正方法】変更
【補正の内容】
【図１】
0003154020.tif 000011